(57)【要約】【課題】設計的な制約を受けにくく、設備費の増加や接着剤使用量の大幅な増加がないにも拘わらず、グレーティングレンズが安定的に接着固定されるように改良した光ピックアップ装置と、そのグレーティングレンズ固定方法を提供する。【解決手段】スライドベース２のレンズ収容孔３にグレーティングレンズ１を収容し、レンズ収容孔３に連通する穴部４に注入された紫外線硬化型接着剤Ｂと、レンズ収容孔３の穴部４に対向する反対側内面３ａとグレーティングレンズ１との隙間に充填された紫外線硬化型接着剤Ｂによって、グレーティングレンズ１を二箇所で安定的に接着固定した光ピックアップ装置とする。グレーティングレンズ１を収容する前にレンズ収容孔３の反対側内面３ａに接着剤Ｂを塗布し、レンズ収容後、穴部４に注入した接着剤Ｂに紫外線を照射すると同時に、その紫外線をレンズ収容孔の反対側内面３ａに塗布した接着剤Ｂにも照射して硬化させる。【選択図】図４
2007220251.tif 000002
【特許請求の範囲】
【請求項１】
スライドベースのレーザーダイオード前方のレンズ収容孔にグレーティングレンズが収容された光ピックアップ装置において、レンズ収容孔とレーザーダイオードの取付板との間に紫外線照射空間が形成されており、レンズ収容孔に連通する穴部に注入された紫外線硬化型接着剤と、レンズ収容孔の上記穴部に対向する反対側内面に形成された浅い凹部とグレーティングレンズとの隙間に充填された紫外線硬化型接着剤によって、グレーティングレンズが接着固定されていることを特徴とする光ピックアップ装置。
【請求項２】
スライドベースのレーザーダイオード前方のレンズ収容孔にグレーティングレンズが収容された光ピックアップ装置において、レンズ収容孔に連通する穴部に注入された紫外線硬化型接着剤と、レンズ収容孔の上記穴部に対向する反対側内面とグレーティングレンズとの隙間に充填された紫外線硬化型接着剤によって、グレーティングレンズが接着固定されていることを特徴とする光ピックアップ装置。
【請求項３】
レンズ収容孔とレーザーダイオードの取付板との間に紫外線照射空間が形成されていることを特徴とする請求項２に記載の光ピックアップ装置。
【請求項４】
スライドベースのレーザーダイオード前方のレンズ収容孔にグレーティングレンズを嵌め込み、レンズ収容孔に連通する穴部に未硬化の紫外線硬化型接着剤を注入して紫外線照射により接着剤を硬化させるグレーティングレンズ固定方法において、グレーティングレンズをレンズ収容孔に嵌め込む前に、レンズ収容孔の上記穴部に対向する反対側内面に未硬化の紫外線硬化型接着剤を塗布しておき、上記穴部に注入した未硬化の紫外線硬化型接着剤に紫外線を照射して該接着剤を硬化させると同時に、その紫外線をレンズ収容孔の反対側内面に塗布した未硬化の紫外線硬化型接着剤にも照射して該接着剤を硬化させることにより、グレーティングレンズを接着固定することを特徴とするグレーティングレンズ固定方法。
【発明の詳細な説明】
【技術分野】
【０００１】
本発明は、光ディスク記録・再生装置等に搭載される光ピックアップ装置と、そのグレーティングレンズ固定方法に関するものであって、特に、グレーティングレンズの接着固定強度を高めるように改良したものである。
【背景技術】
【０００２】
周知のように、光ディスク記録・再生装置等に搭載される光ピックアップ装置は、レーザーダイオード、グレーティングレンズ、ビームスプリッター、立上げミラー、対物レンズ、光検出器などをスライドベースに装着したものであって、レーザーダイオードから発せられたレーザービームをグレーティングレンズで３ビームに回折し、ビームスプリッターを透過したビームを立上げミラーで上方に反射させて対物レンズで集光させながら光ディスクの記録面に照射し、その反射光束を光検出器で検出することにより、記録・再生を行うものである。
【０００３】
このような光ピックアップ装置にあっては、下記の特許文献１にも記載されているように、グレーティングレンズを接着剤で接着固定するのが一般的であり、例えば図９に示すように、グレーティングレンズ１をスライドベース２のレンズ収容孔３に嵌め込んで、このレンズ収容孔３に連通する穴部４から未硬化の紫外線硬化型接着剤Ｂを注入し、紫外線照射により接着剤Ｂを硬化させてグレーティングレンズ１を接着固定している。
【０００４】
けれども、上記のようにグレーティングレンズ１を一箇所で接着固定すると、レンズ収容孔３の内面とグレーティングレンズ１との間に若干の隙間が存在するため、グレーティングレンズ１が不安定な状態となり、振動等によって位相差のずれなどが大きくなって記録・再生性能の低下を招く恐れがあった。
【０００５】
そこで、図９に鎖線で示すように、レンズ収容孔３に通じるもう一つの穴部４０をスライドベース２の上記穴部４と反対側に形成し、この穴部４０に注入して硬化させた紫外線硬化型接着剤と、上記穴部４の紫外線硬化型接着剤Ｂとによって、グレーティングレンズ１を上下二箇所で接着固定した光ピックアップ装置も開発されている。このような光ピックアップ装置は、グレーティングレンズ１が上下二箇所で安定的に接着固定され、振動等が生じ難いため、記録・再生性能の低下を防止できるという利点がある。
【特許文献１】特開平１１−２９６８９８号公報
【発明の開示】
【発明が解決しようとする課題】
【０００６】
しかしながら、上記のようにグレーティングレンズ１を上下二箇所で接着固定した光ピックアップ装置は、双方の穴部４，４０に注入した紫外線硬化型接着剤Ｂに上下から紫外線を照射する必要があるため、紫外線照射の妨げとなる部品をスライドベース２の上下に搭載したり、スライドベース２の上下面の形状を紫外線照射の妨げになる形状となし得ないなど、種々の設計的な制約を受けるという問題があった。しかも、紫外線照射機の紫外線ファイバーを上下に配置する必要があり、紫外線硬化型接着剤Ｂの使用量も倍増するため、経済的に不利になるという問題もあった。
【０００７】
本発明は上記の事情の下になされたもので、グレーティングレンズを一箇所で接着固定する従来の光ピックアップ装置と同様に、設計的な制約を受けることが少なく、紫外線ファイバーの増加や紫外線硬化型接着剤の使用量の大幅な増加がないにも拘わらず、グレーティングレンズが安定的に接着固定されるように改良した光ピックアップ装置と、そのグレーティンググレンズ固定方法を提供することを解決課題としている。
【課題を解決するための手段】
【０００８】
上記の課題を解決するため、本発明の光ピックアップ装置は、スライドベースのレーザーダイオード前方のレンズ収容孔にグレーティングレンズが収容された光ピックアップ装置において、レンズ収容孔に連通する穴部に注入された紫外線硬化型接着剤と、レンズ収容孔の上記穴部に対向する反対側内面とグレーティングレンズとの隙間に充填された紫外線硬化型接着剤によって、グレーティングレンズが接着固定されていることを特徴とするものである。
【０００９】
このような本発明の光ピックアップ装置にあっては、レンズ収容孔とレーザーダイオードの取付板との間に紫外線照射空間が形成されていることが好ましい。
【００１０】
そして、本発明の一層具体化された好ましい光ピックアップ装置は、スライドベースのレーザーダイオード前方のレンズ収容孔にグレーティングレンズが収容された光ピックアップ装置において、レンズ収容孔とレーザーダイオードの取付板との間に紫外線照射空間が形成されており、レンズ収容孔に連通する穴部に注入された紫外線硬化型接着剤と、レンズ収容孔の上記穴部に対向する反対側内面に形成された浅い凹部とグレーティングレンズとの隙間に充填された紫外線硬化型接着剤によって、グレーティングレンズが接着固定されたものである。
【００１１】
また、本発明のグレーティングレンズ固定方法は、スライドベースのレーザーダイオード前方のレンズ収容孔にグレーティングレンズを嵌め込み、レンズ収容孔に連通する穴部に未硬化の紫外線硬化型接着剤を注入して紫外線照射により接着剤を硬化させるグレーティングレンズ固定方法において、グレーティングレンズをレンズ収容孔に嵌め込む前に、レンズ収容孔の上記穴部に対向する反対側内面に未硬化の紫外線硬化型接着剤を塗布しておき、上記穴部に注入した未硬化の紫外線硬化型接着剤に紫外線を照射して該接着剤を硬化させると同時に、その紫外線をレンズ収容孔の反対側内面に塗布した未硬化の紫外線硬化型接着剤にも照射して該接着剤を硬化させることにより、グレーティングレンズを接着固定することを特徴とするものである。
【発明の効果】
【００１２】
本発明の光ピックアップ装置は、レンズ収容孔に連通する穴部に注入された紫外線硬化型接着剤と、レンズ収容孔の上記穴部に対向する反対側内面とグレーティングレンズとの隙間に充填された紫外線硬化型接着剤によって、グレーティングレンズが二箇所で接着固定されているため、グレーティングレンズの安定性が良く、振動等を生じる心配が殆どない。従って、グレーティングレンズの振動等に起因する記録・再生性能の低下を十分防止することができる。
【００１３】
しかも、この光ピックアップ装置は、本発明のグレーティングレンズ固定方法を採用して、穴部に注入した未硬化の紫外線硬化型接着剤に外部から紫外線を照射して該接着剤を硬化させると同時に、その紫外線をレンズ収容孔の反対側内面に塗布した未硬化の紫外線硬化型接着剤にも照射して該接着剤を硬化させることにより、グレーティングレンズを二箇所で安定的に接着固定するものであるから、レンズ収容孔の反対側内面に塗布した紫外線硬化型接着剤を硬化させるための紫外線照射機の紫外線ファイバーを穴部と反対側に増設する必要がなく、また、レンズ収容孔の反対側内面に塗布する紫外線硬化型接着剤は極く少量で済むから、接着剤使用量が倍増することもない。従って、この光ピックアップ装置は、経済的に製造することができる。
【００１４】
また、レンズ収容孔とレーザーダイオードの取付板との間に紫外線照射空間が形成された光ピックアップ装置は、グレーティングレンズを透過してレンズ収容孔の反対側内面の紫外線硬化型接着剤に照射される紫外線に加えて、紫外線照射空間を通って上記接着剤に直接照射される紫外線や、レーザーダイオードの取付板で反射して上記接着剤に照射される紫外線によっても、上記接着剤が硬化するので、硬化に要する時間を短縮して製造効率を向上させることができる。
【００１５】
更に、レンズ収容孔の反対側内面に浅い凹部が形成された光ピックアップ装置は、この凹部とグレーティングレンズとの隙間に充填する紫外線硬化型接着剤の量が少し増加するけれども、その分、接着強度が向上するため、より安定的にグレーティングレンズを接着固定することができる。
【発明を実施するための最良の形態】
【００１６】
以下、図面を参照して本発明の具体的な実施形態を詳述する。
【００１７】
図１は本発明の一実施形態に係る光ピックアップ装置の平面図、図２は同装置の底面図、図３はレーザーダイオードを外した同装置の左側面図、図４は同装置のグレーティングレンズを取付けた部分の拡大図、図５は図２の円で囲んだ部分の拡大図、図６及び図７は本発明に係るグレーティングレンズの固定方法を説明する斜視図である。
【００１８】
この光ピックアップ装置は、光ディスク記録・再生装置などに搭載されるものであって、アルミニウム等の金属製のスライドベース２の一側端には、レーザービームを照射するレーザーダイオード５が装着されている。そして、スライドベース２のレーザーダイオード前方（照射方向）に形成されたレンズ収容孔３（図３，図４参照）には、レーザービームを回折させて３ビームを発生させるグレーティングレンズ１が嵌め込まれ、後述するように、紫外線硬化型接着剤Ｂにより上下二箇所で安定的に接着固定されている。
【００１９】
このグレーティングレンズ１の前方には、ビームを任意に反射と透過に分けて２分割するビームスプリッター６と、これらのビームを上方へ反射させる立上げミラー７が装着され、この立上げミラー７の上方には、ビームを集光して光ディスクに照射する対物レンズ８が装着されている。そして、ビームスプリッター６の片側には、センサーレンズ９と光検出器１０が装着されている。
【００２０】
また、スライドベース２の両側には軸受部１１ａ、１１ｂが形成されており、この軸受部１１ａ、１１ｂによって光ピックアップ装置が光ディスク記録・再生装置の２本のガイド軸（主軸と副軸）にスライド自在に搭載されるようになっている。
【００２１】
このような光ピックアップ装置は、光ディスク記録・再生装置の２本のガイド軸に沿って光ディスクの回転テーブルの方へスライドしながら、レーザーダイオード５から発せられたレーザービームをグレーティングレンズ１で３ビームに回折し、ビームスプリッター６を透過したビームを立上げミラー７で対物レンズ８の方へ反射させ、対物レンズ８で集光して光ディスクに照射することによって、記録・再生が行われる。
【００２２】
この光ピックアップ装置の大きい特徴は、グレーティングレンズ１の取付部分にある。即ち、この光ピックアップ装置のグレーティングレンズ１は、図４に拡大して示すように、スライドベース２のレーザーダイオード５前方のレンズ収容孔３に嵌め込まれ、このレンズ収容孔３に下方から連通する穴部４に注入された紫外線硬化型接着剤Ｂと、このレンズ収容孔３の上記穴部４に対向する反対側内面３ａ（上側内面）とグレーティングレンズ１との隙間に充填された紫外線硬化型接着剤Ｂによって、上下二箇所で安定的に接着固定されている。そして、図５に拡大して示すように、レーザーダイオード５の金属製の取付板５ａと、グレーティングレンズ１を収容したレンズ収容孔３との間には、１〜３ｍｍ巾程度の紫外線照射空間が形成されている。上記の穴部４は、グレーティングレンズ１の位置調整ピンを挿入するための穴部であって、この穴部を接着剤注入用の穴部として兼用したものである。
【００２３】
上記のグレーティングレンズ１は、本発明の固定方法を採用して次の要領でレンズ収容孔３に接着固定されている。即ち、図６に示すようにスライドベース２を上下反転させて、レンズ収容孔３にグレーティングレンズを嵌め込む前に、レンズ収容孔３の穴部４と対向する反対側内面３ａに未硬化の紫外線硬化型接着剤Ｂを塗布する。次いで、図７に示すようにグレーティングレンズ１をレンズ収容孔３に嵌め込み、穴部４から位置調整ピンをグレーティングレンズ１の凹溝部１ａに挿入してグレーティングレンズ１の位置調整をした後、穴部４に未硬化の紫外線硬化型接着剤Ｂを注入し、穴部４の上方に配置した紫外線照射機の紫外線ファイバー１３から紫外線を穴部４の紫外線硬化型接着剤Ｂに照射する。このように紫外線を照射すると、穴部４に注入された紫外線硬化型接着剤Ｂの硬化が進行すると共に、この紫外線がグレーティングレンズ１を透過して、レンズ収容孔３の反対側内面３ａに塗布した紫外線硬化型接着剤Ｂにも照射されるため、この反対側内面３ａの紫外線硬化型接着剤Ｂも硬化が進行し、双方の紫外線硬化型接着剤Ｂ，Ｂが同時に硬化して、グレーティングレンズ１が上下二箇所で安定的に接着固定される。
【００２４】
その場合、この光ピックアップ装置のように、レンズ収容孔３とレーザーダイオード５の取付板５ａとの間に紫外線照射空間１２が形成されていると、上記のようにグレーティングレンズ１を透過してレンズ収容孔３の反対側内面３ａの紫外線硬化型接着剤Ｂに照射される紫外線に加えて、この紫外線照射空間１２を通って該接着剤Ｂに直接照射される紫外線や、レーザーダイオードの取付板５ａで反射して該接着剤Ｂに照射される紫外線によっても、該接着剤Ｂの硬化が進行するため、硬化に要する時間が短縮されて製造効率が向上するようになる。
【００２５】
このように、本発明の固定方法を採用してグレーティングレンズ１をスライドベース２のレンズ収容孔３に二箇所で接着固定した光ピックアップ装置を製造すると、レンズ収容孔３の反対側内面３ａに塗布した紫外線硬化型接着剤Ｂを硬化させるための紫外線照射機の紫外線ファイバーを穴部４と反対側に増設する必要がなく、また、レンズ収容孔３の反対側内面３ａに塗布する紫外線硬化型接着剤Ｂは極く少量で済むから、接着剤の使用量が倍増することもない。従って、この光ピックアップ装置は、紫外線ファイバーなどの設備費の増加がないうえに、接着剤などの材料費の増加も少ないので、経済的であり、また、上下から紫外線照射する場合のように設計的な制約を受けることも殆どないので、設計の自由度が向上する。しかも、グレーティングレンズ１は、穴部４に注入されて硬化した紫外線硬化型接着剤Ｂと、レンズ収容孔３の反対側内面３ａとグレーティングレンズ１との隙間に充填されて硬化した紫外線硬化型接着剤Ｂによって、上下二箇所で安定的に接着固定され、振動等が生じ難いため、振動等に起因する記録・再生性能の低下を十分防止することができる。
【００２６】
図８は本発明の他の実施形態に係る光ピックアップ装置のグレーティングレンズを取付けた部分の拡大図である。
【００２７】
この光ピックアップ装置は、スライドベース２に設けたレンズ収容孔３の前記穴部４に対向する反対側内面３ａに浅い凹部３ｂを形成し、この凹部３ｂとグレーティングレンズ１との隙間に充填して硬化させた紫外線硬化型接着剤Ｂと、穴部４に注入して硬化させた紫外線硬化型接着剤Ｂによって、グレーティングレンズ１を上下二箇所で安定的に接着固定したものである。その他の構成は前述した実施形態の光ピックアップ装置と同様であるので、説明を省略する。
【００２８】
このような光ピックアップ装置は、浅い凹部３ｂとグレーティングレンズ１との隙間に充填する紫外線硬化型接着剤Ｂの量が少し増加するけれども、その分、接着強度が向上するため、より安定的にグレーティングレンズ１をレンズ収容孔３に接着固定して、振動等に起因する記録・再生性能の低下をより確実に防止することができる。
【図面の簡単な説明】
【００２９】
【図１】本発明の一実施形態に係る光ピックアップ装置の平面図である。
【図２】同装置の底面図である。
【図３】レーザーダイオードを外した同装置の左側面図である。
【図４】同装置のグレーティングレンズを取付けた部分の拡大図である。
【図５】図２の円で囲んだ部分の拡大図である。
【図６】本発明のグレーティングレンズ固定方法を説明する斜視図で、レンズ収容孔の穴部に対向する反対側内面に未硬化の紫外線硬化型接着剤を塗布したところを示すものである。
【図７】本発明のグレーティングレンズ固定方法を説明する斜視図で、穴部に注入された紫外線硬化型接着剤と、レンズ収容孔の反対側内面とグレーティングレンズとの隙間に充填された紫外線硬化型接着剤を、紫外線照射により同時に硬化させるところを示すものである。
【図８】本発明の他の実施形態に係る光ピックアップ装置のグレーティングレンズを取付けた部分の拡大図である。
【図９】改良前の光ピックアップ装置のグレーティングレンズを取付けた部分の拡大図である。
【符号の説明】
【００３０】
１    グレーティングレンズ
２    スライドベース
３    レンズ収容孔
３ａ  レンズ収容孔の穴部に対向する反対側内面
３ｂ  浅い凹部
４    穴部
５    レーザーダイオード
５ａ  レーザーダイオードの取付板
６    ビームスプリッター
７    立上げミラー
８    対物レンズ
１２  紫外線照射空間
１３  紫外線照射機の紫外線ファイバー
Ｂ    紫外線硬化型接着剤
【図１】
2007220251.tif 000003
【図２】
2007220251.tif 000004
【図３】
2007220251.tif 000005
【図４】
2007220251.tif 000006
【図５】
2007220251.tif 000007
【図６】
2007220251.tif 000008
【図７】
2007220251.tif 000009
【図８】
2007220251.tif 000010
【図９】
2007220251.tif 000011